(57)【特許請求の範囲】
【請求項１】
小径側竿体の元側外周面を大径側竿体の先側内周面に圧接して、前記小径側竿体と前記大径側竿体とを伸長状態に設定する釣り竿であって、
前記小径側竿体の元側端部の内部空間に芯材を装着し、前記芯材をその元側部分が前記小径側竿体の元側端部の内周面に内嵌保持される形状に形成するとともに前記芯材の先側部分が先細り状態となる弾頭型の形状に形成し、
弾頭型の先側部分を、前記小径側竿体の元側外周面に嵌合した前記大径側竿体の竿先端より更に竿先側に位置させている釣り竿。
【請求項２】
前記芯材がプリプレグ製である請求項１記載の釣り竿。
【発明の詳細な説明】
【技術分野】
【０００１】
本発明は、小径側竿体の元側外周面を大径側竿体の先側内周面に圧接して、前記小径側竿体と前記大径側竿体とを伸長状態に設定する釣り竿に関する。
【背景技術】
【０００２】
大径側竿体の先側内周面に圧接して伸長状態に連結される小径側竿体の元側端部の内部空間には、公報の図６に示すように、通常は単なる空間であることが多く、特に必要な場合には、ゴム製の尻栓を装着していた（特許文献１）。
【特許文献１】特開２００４−２４８５６６号公報（段落〔００２２〕，図３、図６）
【発明の開示】
【発明が解決しようとする課題】
【０００３】
したがって、釣り竿に魚が掛かって大きな曲げ力が作用した場合に、小径側竿体と大径側竿体との連結部位に大きな曲げ応力が作用することとなり、割れや亀裂等が発生する虞があった。
【０００４】
つまり、釣り竿に曲げが作用した場合には、全体が弓なりに変形するが、その場合に、前記連結部位においては、各竿体が円形状の断面から上下方向を短軸、左右方向を長軸とする楕円形断面に変形する。この変形が過度なものとなると、大径側竿体の竿先端が小径側竿体の元側外周面に強く圧接することとなるので、大径側竿体の竿先端によって強い圧接力を受けた小径側竿体の元側端部に亀裂や折れ曲りを生ずる虞があった。
【０００５】
本発明の目的は、小径側竿体の元側端部に簡単な構造物を装着することによって、前記した曲げに対する対抗力を高め、釣上げ力の向上を図ることのできる釣り竿を提供する点にある。
【課題を解決するための手段】
【０００６】
〔構成〕
請求項１における発明の特徴構成は、前記小径側竿体の元側端部の内部空間に芯材を装着し、前記芯材をその元側部分が前記小径側竿体の元側端部の内周面に内嵌保持される形状に形成するとともに前記芯材の先側部分が先細り状態となる弾頭型の形状に形成し、
弾頭型の先側部分を、前記小径側竿体の元側外周面に嵌合した前記大径側竿体の竿先端より更に竿先側に位置させている点にあり、その作用効果は次の通りである。
【０００７】
〔作用〕
芯材として先側部分が先細り状態となる形状に形成してあるので、釣り竿の曲がりが浅い状態では、図２（イ）に示すように、その先側部分が大径側竿体の内周面に接触することはないが、曲がりが深くなると、図２（ロ）に示すように、その先側部分が小径側竿体の元側部分の内周面に当接することになり、小径側竿体を受け止める。
そうすると、小径側竿体単独で大径側竿体の及ぼす曲げ力に対抗していた状態から、芯材との協働で対抗する状態に切り換わり、小径側竿体の折損に対する耐力を向上させることができる。
しかも、芯材が元側端部の内周面に保持される状態で嵌合してあるので、その存在によって、小径側竿体の元側端部が、竿体自体の筒状形状で前記した曲げ力に耐えるだけでなく、芯材にも荷重負担を分散でき、芯材の圧縮強さによって対抗することができるから、小径側竿体自体の強化を図ることができた。
【０００８】
〔効果〕
したがって、小径側竿体自体の耐力で曲げ力に抗する状態と更に大きな曲げ力に対して芯材とともに対抗する状態との二段階に亘る対抗構造を構築することができ、曲げに対する反発力の大きな釣り竿を好む釣り人に適合したものを提供できるに至った。
【０００９】
〔構成〕
請求項２における発明の特徴構成は、前記芯材がプリプレグ製である点にあり、その作用効果は次の通りである。
【００１０】
〔作用効果〕
芯材も釣り竿と同じ材質にできるので、芯材と小径側竿体との間に表面硬度の違い等は少ない。
そうすると、曲げが深くなり、小径側竿体の内周面が芯材の先端部に圧接する状態となっても、表面が損傷するといったことが起こり難く、表面が損傷することによる亀裂の伝播等も回避できる。
【発明を実施するための最良の形態】
【００１１】
〔第1実施形態〕
本発明を振出式の釣り竿に適用する形態を示す。図１に示すように、鮎竿、渓流竿等に使用される釣り竿Ａは、釣り糸ａを係止するトップ部１Ａを備えた穂先竿１、二番竿２、三番竿３等の中竿、手元握り部４Ａを有する元竿４を備えて構成してある。
【００１２】
釣り竿Ａは振出式に継がれるものであり、振出構造について小径側竿体としての二番竿２と大径側竿体としての三番竿３で説明すると、図２（イ）に示すように、二番竿２を三番竿３から引き出した状態では、二番竿２の元側外周面２Ａが三番竿３の先側内周面３Ａに圧接することによって、二番竿２の三番竿３の竿先端からの抜け出しが阻止されている。
【００１３】
上記した構成において、二番竿２の元側端部の内部空間には、芯材５が装備されている。芯材５は、先側部分５Ａが先鋭な弾頭型を呈しており、元側部分５Ｂの外周面を二番竿２の元側内周面に内嵌合して、二番竿２に一体的に装着されている。
【００１４】
芯材５の二番竿２の元側内周面に内嵌される部分は、一定長さを備えた中実棒状を呈しており、三番竿３の先側内周面３Ａが二番竿２の元側外周面２Ａに嵌合する長さに相当する長さに形成されている。そして、弾頭型の先側部分５Ａは、二番竿２の元側外周面２Ａに嵌合した三番竿３の竿先端より更に竿先側に位置している。
上記した芯材５は、二番竿２の元側内周面だけでなく、他の中竿の元側内周面に適宜装着する。
【００１５】
このような芯材５の存在によって、次ぎのような、作用効果を得ることができる。実釣時において魚が掛かって釣り竿Ａ全体が大きな曲がりを生ずる場合には、上記した小径側竿体と大径側竿体との継ぎ部分において、例えば、大径側竿体としての三番竿３の竿先側端が二番竿２の元側外周面２Ａに強く圧接することとなり、大きな曲げ応力が発生し、ついには、内部亀裂の発生や折損に至ることも考えられる。
【００１６】
このように大きな撓みが発生して折損に至る虞のある場合であっても、図２（ロ）に示すように、芯材５の弾頭型の先側部分５Ａが、二番竿２の元側内周面２Ｂに接触を開始し、二番竿２の折損等に至る更なる曲がりが生じようとしても、その曲がりが生ずるのを受け止めて、抑制することができる。
【００１７】
芯材５の材質はプリプレグが使用される。多数の炭素繊維、または、ガラス繊維を束ねて、この束ねた強化繊維を熱硬化性樹脂、または、熱可塑性樹脂を溶融貯留したタンク内に浸して含浸させる。溶融樹脂を含浸させて繊維束を線状に引き出し、その引き出した繊維束を、ダイスを通して引出し棒状のものに形成する。
棒状の繊維束を所定長さに細断し、研削・研磨加工を施して、図２に示すような形状に形成する。
【００１８】
芯材５の装着部位としては、二番竿２以外にも、元上までの他の中竿にも装着することができる。
【００１９】
〔第２実施形態〕
次ぎに、並継竿Ｂに適用する形態を説明する。ここでは、代表例として二番竿２と三番竿３との接続部で説明する。図３に示すように、二番竿２の元側外周面２Ａに元側端程小径となる外接傾斜面２ａを形成するとともに、三番竿３の先側内周面３Ａに元側端程小径となる内接傾斜面３ａを形成してある。
このような形態を採っている二番竿２の元側外周面２Ａを三番竿３の先側内周面３Ａ内に挿し込み装着すると、二番竿２の元側外周面２Ａの外接傾斜面２ａが、三番竿３の先側内周面３Ａの内接傾斜面３ａに圧接することによって、継ぎ状態が現出する。
【００２０】
このような並継竿Ｂにおいて、芯材５を二番竿２の元側内周面２Ｂ内に内嵌保持させる。芯材５の形態は第1実施形態のものと同一であり、弾頭型の先側部分５Ａを有する。また、二番竿２への装着状態は、前記したように、芯材５の二番竿２の元側内周面２Ｂに内嵌される部分は、一定長さを備えた中実棒状を呈しており、三番竿３の先側内周面３Ａが二番竿２の元側外周面２Ａに嵌合する長さに形成されている。そして、弾頭型の先側部分５Ａは、二番竿２の元側外周面２Ａに嵌合した三番竿３の竿先端より更に竿先側に位置している。
【００２１】
芯材５の機能は、第１実施形態においても述べたように、釣り竿Ｂが大きな曲がりを生じた場合に、芯材５の弾頭型の先側部分５Ａが二番竿２の元側内周面２Ｂに当接して受止め、二番竿２や三番竿３の折損等を食い止める。
【００２２】
〔他の実施例〕
（１）芯材５の小径側竿体に対する装着形態としては、芯材５の後端は小径側竿体の後端より突出していてもよく、または、後端よりも少し竿先側に位置することでもよく、元側部分５Ｂが小径側竿体の内周面に嵌合するだけの形状を維持し、その元側部分５Ｂより先端側に先細り形状の先側部分５Ａが形成されていればよい。
（２）実施形態では、ガイド付きでない釣り竿に適用する例を示したが、ガイド付き振出竿、又は、並継竿に適用してもよい。
【図面の簡単な説明】
【００２３】
【図１】振出式の釣り竿を示す全体側面図
【図２】（イ）  芯材を装着した小径側竿体を引き出した状態を示す縦断側面図、（ロ）  （イ）の状態から釣り竿の大きな曲がりが生じた状態を示す縦断側面図
【図３】並継式の釣り竿に適用した状態を示し、小径側竿体を大径側竿体に装着した状態を示す縦断側面図
【符号の説明】
【００２４】
２              二番竿（小径側竿体）
２Ａ            元側外周面
３              三番竿（大径側竿体）
３Ａ            先側内周面
５              芯材
５Ａ            先側部分
５Ｂ            元側部分
【図１】
0005142260.tif 000002
【図２】
0005142260.tif 000003
【図３】
0005142260.tif 000004